(57)【要約】【課題】  スマートデバイスを直感的に制御する方法を提供する。【解決手段】  カタログに登録されたスマートデバイスの動作を制御する方法が、モバイルコンピューティングデバイスのカメラを用いてアイテムのイメージを生成するステップであって、アイテムはスマートデバイスに対応する、ステップと、イメージの中のアイテムを識別するステップと、イメージの中のアイテムを識別することに応答して、スマートデバイスに対するリンクを確立するステップと、スマートデバイスに対するリンクを確立した後、モバイルコンピューティングデバイスを用いてスマートデバイスを制御するステップとを含む。【選択図】  図２
2017111781.tif 000002
【特許請求の範囲】
【請求項１】
カタログに登録されたスマートデバイスの動作を制御する方法であって、
モバイルコンピューティングデバイスのカメラを用いてアイテムのイメージを生成するステップであって、前記アイテムはスマートデバイスに対応する、ステップと、
前記イメージの中の前記アイテムを識別するステップと、
前記イメージの中の前記アイテムを識別することに応答して、前記スマートデバイスに対するリンクを確立するステップと、
前記スマートデバイスに対するリンクを確立した後、前記モバイルコンピューティングデバイスを用いて前記スマートデバイスを制御するステップと、
を含む方法。
【請求項２】
前記アイテムのイメージを生成するステップは、前記アイテムの画像を撮影して静止画ファイルを作成することと、前記静止画ファイルを前記の生成されるイメージとして使用することとを含む、請求項１に記載の方法。
【請求項３】
前記アイテムのイメージを生成するステップは、前記アイテムの動画を捕捉して動画ファイルを作成することと、前記動画ファイルのスクリーンショットを前記の生成されるイメージとして使用することとを含む、請求項１に記載の方法。
【請求項４】
前記アイテムのイメージを生成するステップは、前記モバイルコンピューティングデバイスのカメラでプレビューイメージを生成することと、前記プレビューイメージを前記の生成されるイメージとして使用することとを含む、請求項１に記載の方法。
【請求項５】
前記イメージの中の前記アイテムを識別するステップは、
前記イメージの中の前記アイテムの周りの環境的特徴を分析して環境コードを生成することと、
前記の生成された環境コードを、データベースに記憶された複数の所定環境コードと比較することと、
前記の生成された環境コードが前記データベースに記憶された前記複数の所定環境コードのうち１つにマッチするとき、前記アイテムを識別することと、
を含む、請求項１に記載の方法。
【請求項６】
前記イメージの中の前記アイテムを識別するステップは、
前記アイテムに対応する１次元バーコードをスキャンし、前記１次元バーコード内に含まれるデータを読み出すことと、
前記１次元バーコード内に含まれるデータを、データベースに記憶された複数の予め定義されたデータエントリと比較することと、
前記１次元バーコード内に含まれるデータが前記データベースに記憶された前記複数の予め定義されたデータエントリのうち１つにマッチするとき、前記アイテムを識別することと、
を含む、請求項１に記載の方法。
【請求項７】
前記イメージの中の前記アイテムを識別するステップは、
前記アイテムに対応する２次元バーコードをスキャンし、前記２次元バーコード内に含まれるデータを読み出すことと、
前記２次元バーコード内に含まれるデータを、データベースに記憶された複数の予め定義されたデータエントリと比較することと、
前記２次元バーコード内に含まれるデータが前記データベースに記憶された前記複数の予め定義されたデータエントリのうち１つにマッチするとき、前記アイテムを識別することと、
を含む、請求項１に記載の方法。
【請求項８】
前記イメージの中の前記アイテムを識別することに応答して、前記スマートデバイスに対するリンクを確立するステップは、前記イメージの中の前記アイテムを識別することに応答して、前記スマートデバイスに直接リンクすることを含む、請求項１に記載の方法。
【請求項９】
前記イメージの中の前記アイテムを識別することに応答して、前記スマートデバイスに対するリンクを確立するステップは、
前記モバイルコンピューティングデバイスのユーザに、少なくとも１つのマッチングアイテムを示すことと、
前記少なくとも１つのマッチングアイテムを見た後、前記アイテムを前記ユーザが選択することと、
前記アイテムを前記ユーザが選択することに応答して、前記スマートデバイスにリンクすることと、
を含む、請求項１に記載の方法。
【請求項１０】
前記モバイルコンピューティングデバイスを用いて前記スマートデバイスを制御するステップは、前記モバイルコンピューティングデバイスを用いて前記スマートデバイスをオン又はオフにすることを含む、請求項１に記載の方法。
【発明の詳細な説明】
【技術分野】
【０００１】
本発明は、スマートデバイスを制御する方法に関し、より具体的には、ユーザが制御したいスマートデバイスを迅速に識別することによってスマートデバイスを直感的に制御する方法に関する。
【背景技術】
【０００２】
家庭又はビジネスにおけるスマートデバイスの普及と共に、スマートデバイスを制御する多くの方法が開発されてきている。スマートデバイスを制御する一般的な方法は、モバイルフォン又はタブレットコンピュータ向けに書かれたアプリケーション（アプリ）に依存している。これらアプリは、その対応するアプリを作成した同じ会社によって製造されたスマートデバイスだけ制御することができるように、制限されていることがある。ユーザがいくつかの異なる会社によって作られたスマートデバイスを持っている場合、このユーザは、すべての設置されたスマートデバイスを制御することができるようにするために、いくつかのアプリをインストールする必要があり得る。アプリ間における切り換えは制御方法に対して余分なステップを追加し、このことはユーザに不便さをもたらす可能性がある。
【０００３】
さらに、所与のアプリ内においてユーザが制御したいスマートデバイスの位置を決めることは、アプリの中の多くのメニューを通じて、又はユーザが設置しているスマートデバイスのリストを通じてユーザがナビゲートする必要があり得るため、時に時間がかかる可能性がある。正しいスマートデバイスが１回だけ選択されていると、ユーザはその選択されたスマートデバイスの制御を開始することができる。結果として、この産業は、ユーザがスマートデバイスを迅速に簡便に制御することを可能にするためのより直感的な制御方法を必要としている。
【発明の概要】
【０００４】
したがって、請求される発明の主な目的の１つは、スマートデバイスを直感的な方式で制御する方法を提供することである。
【０００５】
請求される発明の例示的な一実施形態に従い、カタログに登録された（cataloged）スマートデバイスの動作を制御する方法が開示される。この方法は、モバイルコンピューティングデバイスのカメラを用いてアイテムのイメージを生成することであって、アイテムはスマートデバイスに対応する、ことと、イメージの中のアイテムを識別することと、イメージの中のアイテムを識別することに応答してスマートデバイスに対するリンクを確立することと、スマートデバイスに対するリンクを確立した後、モバイルコンピューティングデバイスを用いてスマートデバイスを制御することとを含む。
【０００６】
利点の１つは、本発明が、ユーザが制御したいスマートデバイスを直感的に選択し及びリンクする方法を提供することである。ユーザは、自身が制御したいスマートデバイスに適切にモバイルコンピューティングデバイスを向けることができ、これにより、ユーザが制御したいスマートデバイスを選択するために広大なメニュー又はリストを通過する必要を回避することができる。
【０００７】
本発明に係る上記及び他の目的が、疑いなく、様々な図及び図面に示される好適な実施形態についての下記の詳細な説明を読んだ当業者に明らかになるであろう。
【図面の簡単な説明】
【０００８】
【図１】スマートデバイスを選択し及び制御するアプリケーションを実行することに使用されるモバイルコンピューティングデバイスの機能ブロック図である。
【図２】モバイルコンピューティングデバイスのカメラを用いて部屋に対応するイメージを作成することを例示している。
【図３】スイッチに関連付けられた１次元バーコードを例示している。
【図４】スイッチに関連付けられた２次元バーコードを例示している。
【図５】ネットワークを介したモバイルコンピューティングデバイスとスマートデバイスとの間の相互作用を例示する機能ブロック図である。
【図６】ＩＤコードの中に複数のフィールドを含むテーブルを例示している。
【図７】ＵＩＤ番号の中に複数のフィールドを含むテーブルを例示している。
【図８】識別されたスイッチに対応するスマートデバイスに対応する制御ボタンを例示する図である。
【図９】識別されたスイッチに対応するスマートデバイスに対応する制御ボタンを例示する図である。
【図１０】本発明の別の実施形態におけるユーザのスマートランプの制御を示している。
【図１１】本発明に従ってスマートデバイスを制御する一方法を説明するフローチャートである。
【図１２】本発明の別の実施形態に従って無線周波数識別（ＲＦＩＤ）タグを用いたスマートデバイスの識別を例示している。
【発明を実施するための形態】
【０００９】
図１を参照されたい。図１は、スマートデバイスを選択し及び制御するアプリケーション（アプリ）２２を実行することに使用されるモバイルコンピューティングデバイス１０の機能ブロック図である。アプリの記述的名称を提供するために、このアプリは下記で直感的制御アプリ（Intuitive  Control  app）と呼ばれる。
【００１０】
モバイルコンピューティングデバイス１０は、好ましくはタッチスクリーンであるディスプレイ１２と、カメラ１４と、プロセッサ１６と、ワイヤレスフィデリティ（Ｗｉ−Ｆｉ）トランシーバなどのワイヤレストランシーバ１８と、記憶装置２０とを備える。記憶装置２０は、直感的制御アプリ２２と、直感的制御アプリ２２と連動して使用されるアプリデータ２４とを記憶する。記憶装置２０は、好ましくは、フラッシュメモリなどの不揮発性メモリである。モバイルコンピューティングデバイス１０は、ディスプレイとカメラとの双方を有する任意のモバイルデバイス、例えば、タブレットコンピュータ又はスマートフォンなどであってよいが、ノートブックコンピュータなどの他の装置が同様に使用されてもよい。
【００１１】
直感的制御アプリ２２の使用の説明が、下記に与えらえる。図２を参照されたい。図２は、モバイルコンピューティングデバイス１０のカメラ１４を使用して、部屋３０に対応するイメージ３２を作成することを例示している。イメージ３２は、いくつかの異なる方法のうちの１つにおいて作成することができる。第１に、イメージ３２は、モバイルコンピューティングデバイス１０のユーザがカメラ１４で画像を撮影したとき、作成することができる。結果として生じる画像ファイルを、イメージ３２として使用することができる。第２に、イメージ３２は、モバイルコンピューティングデバイス１０のユーザがカメラ１４で動画を捕捉して動画ファイルを作成するとき、作成することができる。動画ファイルからのスクリーンショットを、イメージ３２として使用することができる。第３に、イメージ３２は、ユーザがカメラ１４でプレビューイメージを生成するとき、作成することができる。プレビューイメージは、ユーザがカメラ１４で画像を撮影し、あるいは動画を捕捉する前に、ユーザが仮想の「ビューファインダー」の中で画像を見ることを可能にするために作成される。
【００１２】
イメージ３２は、モバイルコンピューティングデバイス１０のディスプレイ１２上に示され、スマートデバイスに対応するスイッチ４０を示す。この例において、スマートデバイスは、部屋３０の中のライトとすることができ、スイッチ４０は、ライトを制御することに使用される。スイッチ４０がイメージ３２の中に出現するとき、直感的制御アプリ２２はスイッチ４０を識別し、直感的制御アプリ２２とスイッチ４０に対応するスマートデバイスとの間のリンクが確立される。いったん直感的制御アプリ２２とスイッチ４０に対応するスマートデバイスとの間のリンクが確立されると、それから直感的制御アプリ２２は該スマートデバイスを制御することができる。
【００１３】
直感的制御アプリ２２は、スマートデバイスのためのスイッチ４０又は他のスイッチを識別することだけに限定されない。代わって、スマートデバイスを識別する他の方法を用いることができる。図３及び図４を参照されたい。図３は、スイッチ４０に関連付けられスイッチ４０付近に位置づけられた１次元バーコード４２を例示している。図４は、スイッチ４０に関連付けられスイッチ４０付近に位置づけられた２次元バーコード４４を例示している。１次元バーコード４２と２次元バーコード４４との双方は、同じ方法で機能する。モバイルコンピューティングデバイス１０のカメラ１４が１次元バーコード４２又は２次元バーコード４４を含むイメージを作成するとき、直感的制御アプリ２２はそのバーコードをスキャンし、対応するスマートデバイスを識別し、直感的制御アプリ２２と対応するスマートデバイスとの間にリンクを確立する。それから、直感的制御アプリ２２は、１次元バーコード４２又は２次元バーコード４４に対応するスマートデバイスを制御することができる。
【００１４】
１次元バーコード４２又は２次元バーコード４４を使用することに加えて、スマートデバイスを識別し、直感的制御アプリ２２と対応するスマートデバイスとの間にリンクを確立するために、他の方法が用いられてもよい。例えば、近距離無線通信（ＮＦＣ）を使用することができる。スマートデバイスがＮＦＣタグ又はＮＦＣデバイスを有することができ、このＮＦＣタグ又はＮＦＣデバイスは、モバイルコンピューティングデバイス１０によってスキャンされるとき、直感的制御アプリ２２がスマートデバイスを識別し、それからスマートデバイスに対するリンクを確立することを可能にする。無線周波数識別（ＲＦＩＤ）テクノロジーや、リンクを提供し又はユーザがリンクを入力してそれによりスマートデバイスに接続することを可能にする任意の他のテクノロジーが、上記と同じ方法で使用されてもよい。
【００１５】
図５を参照されたい。図５は、ネットワーク９０を介したモバイルコンピューティングデバイス１０とスマートデバイス９４との間の相互作用を例示する機能ブロック図である。モバイルコンピューティングデバイス１０は、好ましくは、ネットワーク９０にワイヤレスに接続され、ワイヤレストランシーバ１８を使用してこのワイヤレス接続を確立することができる。ネットワーク９０は、ワイヤレスか又は有線接続を通してのいずれかで、スマートデバイス９４に接続することができる。スマートデバイス９４に対応するアイテムの識別を助けるのに使用される情報を記憶するために、クラウドデータベース９２が使用される。例えば、上記の図３及び図４において、クラウドデータベース９２は、１次元バーコード４２及び２次元バーコード４４に対応するデータを記憶することになり、さらに、１次元バーコード４２又は２次元バーコード４４に対応するスマートデバイス９４についてのリンク情報を記憶することになる。すなわち、クラウドデータベース９２は、１次元バーコード４２か又は２次元バーコード４４のいずれかをスキャンするときにデータを読み出し、この読み出されたデータとクラウドデータベース９２の中に記憶された複数の事前定義されたデータエントリとを比較し、読み出されたデータがクラウドデータベース９２の中に記憶された複数の事前定義されたデータエントリのうち１つにマッチするときに、対応する１次元バーコード４２又は２次元バーコード４４を識別する。
【００１６】
１次元バーコード４２又は２次元バーコード４４が使用されないとき、例えば、スイッチ４０が識別されている図２に示される例などでは、スイッチ４０を囲む環境的特徴が、スイッチ４０を識別することに使用される。この場合、イメージ３２の中のスイッチ４０を囲む環境的特徴が分析されて、環境コードが生成される。それから、生成された環境コードは、クラウドデータベース９２の中に記憶された複数の所定環境コードと比較され、生成された環境コードがクラウドデータベース９２の中に記憶された複数の所定環境コードのうち１つにマッチするとき、スイッチ４０が識別される。
【００１７】
スイッチ４０、１次元バーコード４２、又は２次元バーコード４４を識別する方法に関する情報を記憶することに加えて、クラウドデータベース９２は、制御すべき各スマートデバイスに関する記述的情報をさらに記憶する。クラウドデータベース９２において、記述的情報には、スマートデバイスの各タイプに割り当てられた識別（ＩＤ）コードを含むことができる。ＩＤコードの中のフィールドの各々は、将来ユーザがスマートデバイスについて検索したい事象において、独立して検索可能とすることができる。図６を参照されたい。図６は、ＩＤコードの中に複数のフィールドを含むテーブルを例示している。テーブルは、スマートデバイスのカテゴリタイプを「Ａ０００１」として識別している「アイテムタイプコード」と、スマートデバイスのブランド「ＡＢＣＤＥＦＧ」に対応する「ブランドコード」と、スマートデバイスのモデルを示すプロダクトＩＤ「ＨＩＪＫＬＭＮＯ」に対応する「プロダクトＩＤコード」とを含む。ＩＤコードは、任意の所与のモデルのスマートデバイスについて、同じである。例えば、ユーザがベッドのいずれの側にもスマートデバイスのマッチングを有する場合、これらスマートデバイスの双方が同じＩＤコードを有することになる。
【００１８】
ＩＤコードを割り当てられることに加えて、直感的制御アプリ２２における各スマートデバイスはその独自の一意の識別（ＵＩＤ）番号を割り当てられ、さらに、この番号はクラウドデータベース９２の中に記憶される。図７を参照されたい。図７は、ＵＩＤ番号の中に複数のフィールドを含むテーブルを例示している。各ＵＩＤ番号は、スマートデバイスの位置及びタイプに従って一連のコードを含むことになる。例えば、図６に示されたＩＤコードを有するスマートデバイスは、下記のコードを割り当てられることができる。ＵＩＤ番号は、下記の情報を含む。すなわち、スマートデバイスが位置する国に対応する「国コード」が「８８６」であり、スマートデバイスをカタログに登録しているユーザに対応する「ユーザコード」が「ＡＢＣＤＥＦＧＨＩＪ」であり、スマートデバイスが位置する部屋に対応する「部屋コード」が「００１」であり、スマートデバイスが位置する記憶ユニットに対応する「コンテナコード」が「００Ａ」であり、スマートデバイスのカテゴリタイプを識別する「アイテムタイプコード」が「Ａ０００１」であり、スマートデバイスのブランドに対応する「ブランドコード」が「ＡＢＣＤＥＦＧ」であり、スマートデバイスのモデルを示すプロダクトＩＤに対応する「プロダクトＩＤコード」が「ＨＩＪＫＬＭＮＯ」であり、一意のシリアル番号を用いてスマートデバイスを識別している「アイテムシリアル番号」が「０００１」であり、ＵＩＤの中のコードの残りについてのチェックサムとして使用される「チェックコード」が「９」である。直感的制御アプリ２２において、各々の一意のスマートデバイスは、ＵＩＤ番号を付与されることになる。同じ部屋の中の２つの同一のスマートデバイスでも、スマートデバイスシリアル番号が各スマートデバイスについて異なるため、異なるＵＩＤ番号を有することになる。
【００１９】
いったんスマートデバイス９４が識別されると、スマートデバイス９４についての制御情報が直感的制御アプリ２２の中に取得される。制御情報はネットワーク９０を介してクラウドデータベース９２からダウンロードすることができ、あるいは、制御情報はモバイルコンピューティングデバイス１０の記憶装置２０内のアプリデータ２４の中に前もって記憶することができる。制御情報を使用して、直感的制御アプリ２２の中に制御ボタンを示すことができる。図８及び図９を参照されたい。図８及び図９は、識別されたスイッチ４０に対応するスマートデバイスに対応する制御ボタンを例示している図である。スイッチ４０が直感的制御アプリ２２を用いて識別された後、ユーザは、スイッチ４０がユーザが選択したい正しいアイテムであることを確認する機会を与えられることができる。モバイルコンピューティングデバイス１０のディスプレイ１２上に示されるイメージ３２上で、スイッチ４０はイメージ３２内に示されている。いったんスイッチ４０が識別されると、制御メニューがポップアップし、輪郭５０を有するスイッチ４０の再現されたイメージ５２が含まれる。他の識別されたアイテムがイメージ３２の中にさらに示される場合、他の識別されたアイテムに対応する輪郭が同様に示されてもよい。ユーザは、識別されたアイテムのうち１つを選択したいとき、輪郭５０内に示された再現されたイメージ５２上で単にタップすればよい。それから、輪郭５０は、このアイテムが選択されているというユーザへの視覚的フィードバックを与えるように見かけを変化させることができる。いったん再現されたイメージ５２と輪郭５０とが選択されると、直感的制御アプリ２２は、スイッチ４０に対応するスマートデバイスに対するリンクを確立し、対応する制御ボタン５４が出現する。それから、直感的制御アプリ２２のユーザは、制御ボタン５４を上方又は下方に移動させることによって、スイッチ４０に対応するスマートデバイスを制御することができる。図８に示されるように、制御ボタン５４を上方に移動させることは、スマートデバイスをオンにすることになる。図９に示されるように、制御ボタン５４を下方に移動させることは、スマートデバイスをオフにすることになる。スマートデバイスがライトである場合、この単純な種類の制御ボタン５４で、ライトの全機能を制御するのに十分であり得る。スマートデバイスがより複雑な制御機能を有する場合、例えば、スマートテレビジョン又はスマートサーモスタットの制御機能などでは、他の制御ボタン又は制御メニューが出現して、ユーザがスマートデバイスを十分に制御することを可能にする。直感的制御アプリ２２を使用してすべてのスマートデバイスを制御することに代わって、直感的制御アプリ２２は、特定のスマートデバイスを制御することに使用される他の専用アプリを開くためのリンクをさらに提供することができることに留意されたい。
【００２０】
アイテムに対応するスマートデバイスに対するリンクを確立する前にユーザが識別されるアイテムを選択することに代わって、いったんアイテムが識別され、識別されたアイテムが１つだけである場合、スマートデバイスに対するリンクが直接確立されてもよい。２以上のアイテムが識別されたとき、ユーザは、リンクが確立される前にアイテムを選択すべきである。一方、アイテムが１つだけ識別されるとき、リンクは、いかなる事前選択も必要とされることなく、直接作ることができる。
【００２１】
図８及び図９において、部屋３０の中に、別のスマートデバイス、すなわちスマートランプ６４がさらに存在する。しかしながら、スマートランプはイメージ３２の中に示されておらず、したがって、ユーザが選択に利用することができない。図１０を参照されたい。図１０は、本発明の別の実施形態においてスマートランプ６４をユーザが制御することを示している。モバイルコンピューティングデバイス１０のカメラ１４が、部屋３０に対応するイメージ６２を作成する。スマートランプ６４はイメージ６２の中に示されており、いったんスマートランプ６４がその見かけに基づいて識別されると、直感的制御アプリ２２がスマートランプ６４に対してリンクし、制御ボタン６６がイメージ６２の中のスマートランプ６４のとなりに出現する。それから、ユーザは、制御ボタン６６を用いてスマートランプ６４を制御する機会を与えらえる。これまでの実施形態とは異なり、スマートランプ６４自体が、モバイルコンピューティングデバイス１０のディスプレイ１２上に示されるイメージ６２の中に出現する。イメージ６２は、スマートランプ６４に対応するスイッチを識別せず、代わって、スマートランプ６４を直接識別する。
【００２２】
図１１を参照されたい。図１１は、本発明に従って直感的制御アプリ２２を用いてスマートデバイスを制御する方法を説明するフローチャートである。フローチャートの中のステップは、下記のとおり説明される。
【００２３】
ステップ１００：開始。
【００２４】
ステップ１０２：アイテムのイメージを生成する。例えば、図２に示されるように、スイッチ４０を含むイメージ３２を生成する。
【００２５】
ステップ１０４：アイテムを識別する。例えば、スイッチ４０が識別される。
【００２６】
ステップ１０６：アイテムに対応するスマートデバイスに対するリンクを確立する。例えば、スイッチ４０に対応するスマートデバイスに対してリンクが確立される。
【００２７】
ステップ１０８：モバイルコンピューティングデバイスを用いてスマートデバイスを制御する。
【００２８】
ステップ１１０：終了。
【００２９】
図１２を参照されたい。図１２は、本発明の別の実施形態に従ってＲＦＩＤタグを用いてスマートデバイスを識別することを例示している。図１２は、スマートランプ６４を一意に識別するためのＲＦＩＤタグ７０をはり付けられたスマートランプ６４をここでは示している。それから、ＲＦＩＤスキャナ８０を使用して、ＲＦＩＤタグ７０をスキャンしてスマートランプ６４を識別し、ユーザが直感的制御アプリ２２を用いてスマートランプ６４を迅速に制御することを可能にすることができる。好ましくは、ＲＦＩＤスキャナ８０は、ハンドヘルドＲＦＩＤスキャナである。非限定的な一例として、図１２に例示されているＲＦＩＤスキャナ８０は、ラケット形状のＲＦＩＤスキャナであるものとして示されている。
【００３０】
要約すると、本発明は、ユーザが制御したいスマートデバイスを直感的に選択し及びリンクする方法を提供する。ユーザは、自身が制御したいスマートデバイス又はスマートデバイスに対応するアイテムに、適切にモバイルコンピューティングデバイス１０を向けることができ、これにより、ユーザが制御したいスマートデバイスを選択するために広大なメニュー又はリストを通過する必要を回避することができる。
【００３１】
当業者は、本発明の教示を保持する間、装置及び方法についての多数の修正及び変更がなされ得ることに容易に気付くであろう。したがって、上記の開示は、別記の請求項に係る境界及び範囲によってのみ限定されるものとみなされるべきである。
【符号の説明】
【００３２】
１０  モバイルコンピューティングデバイス
１２  ディスプレイ
１４  カメラ
１６  プロセッサ
１８  ワイヤレストランシーバ
２０  記憶装置
２２  直感的制御アプリ
２４  アプリデータ
３０  部屋
３２、５２、６２  イメージ
４０  スイッチ
４２、４４  バーコード
５０  輪郭
５４、６６  制御ボタン
６４  スマートランプ
７０  ＲＦＩＤタグ
８０  ＲＦＩＤスキャナ
９０  ネットワーク
９２  クラウドデータベース
９４  スマートデバイス
【図１】
2017111781.tif 000003
【図２】
2017111781.tif 000004
【図３】
2017111781.tif 000005
【図４】
2017111781.tif 000006
【図５】
2017111781.tif 000007
【図６】
2017111781.tif 000008
【図７】
2017111781.tif 000009
【図８】
2017111781.tif 000010
【図９】
2017111781.tif 000011
【図１０】
2017111781.tif 000012
【図１１】
2017111781.tif 000013
【図１２】
2017111781.tif 000014
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
カタログに登録されたスマートデバイスの動作を制御する方法であって、
モバイルコンピューティングデバイスのカメラを用いてイメージを生成するステップであって、前記イメージは１つ以上のアイテムを含み、各アイテムはスマートデバイスに対応する、ステップと、
前記イメージの中の前記１つ以上のアイテムを識別するステップと、
前記イメージの中の前記１つ以上のアイテムを識別することに応答して、識別されたアイテムに対応するスマートデバイスに対するリンクを確立するステップと、
前記スマートデバイスに対するリンクを確立した後、前記モバイルコンピューティングデバイスを用いて前記スマートデバイスを制御するステップと、
を含み、
前記イメージの中の前記１つ以上のアイテムを識別することに応答して、識別されたアイテムに対応するスマートデバイスに対するリンクを確立するステップは、
識別されたアイテムの数が１である場合、前記スマートデバイスに直接リンクすることと、
識別されたアイテムの数が２以上である場合、前記モバイルコンピューティングデバイスのユーザに複数のマッチングアイテムを示して前記ユーザに前記複数のマッチングアイテムのうち１つを選択させ、前記の選択されたアイテムに対応するスマートデバイスにリンクすることと、
を含む、
方法。
【請求項２】
前記イメージを生成するステップは、前記１つ以上のアイテムの画像を撮影して静止画ファイルを作成することと、前記静止画ファイルを前記の生成されるイメージとして使用することとを含む、請求項１に記載の方法。
【請求項３】
前記イメージを生成するステップは、前記１つ以上のアイテムの動画を捕捉して動画ファイルを作成することと、前記動画ファイルのスクリーンショットを前記の生成されるイメージとして使用することとを含む、請求項１に記載の方法。
【請求項４】
前記イメージを生成するステップは、前記モバイルコンピューティングデバイスのカメラでプレビューイメージを生成することと、前記プレビューイメージを前記の生成されるイメージとして使用することとを含む、請求項１に記載の方法。
【請求項５】
前記イメージの中の前記１つ以上のアイテムを識別するステップは、
前記イメージの中のアイテムの周りの環境的特徴を分析して環境コードを生成することと、
前記の生成された環境コードを、データベースに記憶された複数の所定環境コードと比較することと、
前記の生成された環境コードが前記データベースに記憶された前記複数の所定環境コードのうち１つにマッチするとき、前記アイテムを識別することと、
を含む、請求項１に記載の方法。
【請求項６】
前記イメージの中の前記１つ以上のアイテムを識別するステップは、
前記イメージの中のアイテムに対応する１次元バーコードをスキャンし、前記１次元バーコード内に含まれるデータを読み出すことと、
前記１次元バーコード内に含まれるデータを、データベースに記憶された複数の予め定義されたデータエントリと比較することと、
前記１次元バーコード内に含まれるデータが前記データベースに記憶された前記複数の予め定義されたデータエントリのうち１つにマッチするとき、前記アイテムを識別することと、
を含む、請求項１に記載の方法。
【請求項７】
前記イメージの中の前記１つ以上のアイテムを識別するステップは、
前記イメージの中のアイテムに対応する２次元バーコードをスキャンし、前記２次元バーコード内に含まれるデータを読み出すことと、
前記２次元バーコード内に含まれるデータを、データベースに記憶された複数の予め定義されたデータエントリと比較することと、
前記２次元バーコード内に含まれるデータが前記データベースに記憶された前記複数の予め定義されたデータエントリのうち１つにマッチするとき、前記アイテムを識別することと、
を含む、請求項１に記載の方法。
【請求項８】
前記モバイルコンピューティングデバイスを用いて前記スマートデバイスを制御するステップは、前記モバイルコンピューティングデバイスを用いて前記スマートデバイスをオン又はオフにすることを含む、請求項１に記載の方法。
【請求項９】
カタログに登録されたスマートデバイスの動作を制御するモバイルコンピューティングデバイスであって、
当該モバイルコンピューティングデバイスのカメラを用いてイメージを生成することであって、前記イメージは１つ以上のアイテムを含み、各アイテムはスマートデバイスに対応し、
前記イメージの中の前記１つ以上のアイテムを識別し、
前記イメージの中の前記１つ以上のアイテムを識別することに応答して、識別されたアイテムに対応するスマートデバイスに対するリンクを確立し、
前記スマートデバイスに対するリンクを確立した後、当該モバイルコンピューティングデバイスを用いて前記スマートデバイスを制御する
ように構成され、
前記イメージの中の前記１つ以上のアイテムを識別することに応答して、識別されたアイテムに対応するスマートデバイスに対するリンクを確立することは、
識別されたアイテムの数が１である場合、前記スマートデバイスに直接リンクし、
識別されたアイテムの数が２以上である場合、当該モバイルコンピューティングデバイスのユーザに複数のマッチングアイテムを示して前記ユーザに前記複数のマッチングアイテムのうち１つを選択させ、前記の選択されたアイテムに対応するスマートデバイスにリンクする
ようにさらに構成される、モバイルコンピューティングデバイス。